(57)【要約】【課題】本実施形態は、ユーザがまだ視聴していない未視聴番組の存在を気付きやすくする録画リストを持つ、電子装置、表示装置を提供することを目的とする。【解決手段】本実施形態の電子装置は、  第１番組の第１番組情報と、第２番組の第２番組情報とを含む録画リストを表示する表示手段と、前記録画リストは、前記第１番組と同じ第１シリーズの第３番組が未視聴である場合に、前記第１番組情報の表示領域上又はその近傍に、前記第３番組の未視聴が視覚的に識別可能とされ、前記第２番組と同じ第２シリーズの第４番組が未視聴である場合に、前記第２番組情報の表示領域上又はその近傍に、前記第４番組の未視聴が視覚的に識別可能とされる、電子装置である。【選択図】図１
2019080136.tif 000002
【特許請求の範囲】
【請求項１】
第１番組の第１番組情報と、第２番組の第２番組情報とを含む録画リストを表示する表示手段と、
前記録画リストは、前記第１番組と同じ第１シリーズの第３番組が未視聴である場合に、前記第１番組情報の表示領域上又はその近傍に、前記第３番組の未視聴が視覚的に識別可能とされ、  前記第２番組と同じ第２シリーズの第４番組が未視聴である場合に、前記第２番組情報の表示領域上又はその近傍に、前記第４番組の未視聴が視覚的に識別可能とされる、電子装置。
【請求項２】
前記第３番組は、前記第１番組よりも過去に放送された前記第１シリーズの番組である請求項１記載の電子装置。
【請求項３】
前記第１番組情報が選択される場合、前記第１番組と前記第３番組とのうち一方を選択可能に、前記録画リストに識別を表示する請求項１または請求項２に記載の電子装置。
【請求項４】
前記識別により選択された前記第１番組または前記第３番組のいずれか一方を再生する請求項３に記載の電子装置。
【請求項５】
前記録画リストは、前記第１番組と同じ前記第１シリーズの第５番組が視聴済みである場合に、前記第１番組情報の表示領域上又はその近傍に、前記第５番組を視覚的に識別可能としない請求項１乃至請求項４のいずれか１項に記載の電子装置。
【請求項６】
前記録画リストは、前記第１番組と同じ第１シリーズの複数の番組が未視聴である場合に、前記第１番組情報の表示領域上又はその近傍に、前記複数の番組の未視聴が視覚的に識別可能とされる、請求項１乃至請求項５のいずれか１項に記載の電子装置。
【請求項７】
前記第１番組、前記第２番組、前記第３番組、および前記第４番組は、録画された番組である、請求項１乃至請求項６のいずれか１項に記載の電子装置。
【請求項８】
コンピュータにより実行されるプログラムであって、前記プログラムは前記コンピュータに、
第１番組の第１番組情報と、第２番組の第２番組情報とを含む録画リストを表示させることと、
前記録画リストは、前記第１番組と同じ第１シリーズの第３番組が未視聴である場合に、前記第１番組情報の表示領域上又はその近傍に、前記第３番組の未視聴が視覚的に識別可能とすることと、
前記第２番組と同じ第２子リースの第４番組が未視聴である場合に、前記第２番組情報の表示領域又はその近傍に、前記第４番組の未視聴が視覚的に視聴可能とすることと、
を実行するためのプログラム。
【請求項９】
第１番組の第１番組情報と、第２番組の第２番組情報とを含む録画リストを表示し、
前記録画リストは、前記第１番組と同じ第１シリーズの第３番組が未視聴である場合に、前記第１番組情報の表示領域上又はその近傍に、前記第３番組の未視聴が視覚的に識別可能とされ、  前記第２番組と同じ第２シリーズの第４番組が未視聴である場合に、前記第２番組情報の表示領域上又はその近傍に、前記第４番組の未視聴が視覚的に識別可能とされる、録画リスト表示方法。
【発明の詳細な説明】
【技術分野】
【０００１】
実施形態は電子装置、プログラム、録画リスト表示方法に関するものである。
【背景技術】
【０００２】
番組を視聴するテレビジョン装置は、録画機能を有するものもある。また録画機能だけをもつ番組録画装置は、テレビジョン装置と連携して動作することができる。最近の記録媒体の大容量化にともない、テレビジョン装置の録画機能あるいは番組録画装置の録画機能は、テレビジョン装置あるいは番組録画装置が受信可能な全チャンネルの１週間分程度の番組を録画可能なものもある。
【０００３】
テレビジョン装置あるいは番組録画装置の録画機能により録画された番組の何れかを視聴する場合、ユーザは、リモコンを操作して、録画された番組の一覧である録画リストを表示するようにテレビジョン装置にリクエストする。テレビジョン装置の表示器は、リモコンからのリクエストに応じて表示画面に録画リストを表示する。表示画面に表示された録画リストは、例えば横軸を日付、縦軸を放送時間として録画された番組を一覧にした形で構成されている。ユーザは、表示された録画リストの中から視聴したい番組を探して、該当するコンテンツを視聴することができる。
【先行技術文献】
【特許文献】
【０００４】
【特許文献１】特開2006-67027号公報
【発明の概要】
【発明が解決しようとする課題】
【０００５】
テレビジョン装置の表示器の表示画面の大きさを限られているので、録画リストの構成は表示画面の大きさを意識したものとなっている。録画リストの構成として横軸を日付、縦軸を放送時間とした場合、表示画面に表示される録画リストの横軸の日付は、例えば１週間分の日付になっている場合がある。この場合ユーザは、カーソルを移動させる等の操作をして表示されている録画リストをスクロールすることで、表示画面に表示されている録画リストの、例えばさらに１週間前や２週間前の録画リストを切り換えながら表示画面に表示することができる。
【０００６】
しかし録画されている番組が大量にあると、表示画面に表示されている録画リストを繰り返し切り替える必要があり、所望の番組を見つけることはユーザにとって負担となる。特に所望の番組Ａがシリーズ番組あるいはシーズン番組であった場合、所望の番組の前回以前の番組Ｂを視聴したくなる場合があるが、録画されている場合が大量にあると、所望の番組Ａの前回以前の番組Ｂを探すことが相当の手間となる、という問題があった。
【０００７】
そこで本実施形態は、ユーザがまだ視聴していない未視聴番組の存在を気付きやすくする録画リストを持つ、電子装置、プログラム、録画リスト表示方法を提供することを目的とする。
【課題を解決するための手段】
【０００８】
本実施形態の電子装置は、
第１番組の第１番組情報と、第２番組の第２番組情報とを含む録画リストを表示する表示手段と、
前記録画リストは、前記第１番組と同じ第１シリーズの第３番組が未視聴である場合に、前記第１番組情報の表示領域上又はその近傍に、前記第３番組の未視聴が視覚的に識別可能とされ、  前記第２番組と同じ第２シリーズの第４番組が未視聴である場合に、前記第２番組情報の表示領域上又はその近傍に、前記第４番組の未視聴が視覚的に識別可能とされる、電子装置である。
【図面の簡単な説明】
【０００９】
【図１】図１は、本実施形態に係る受信機の構成を示した図である。
【図２】図２は、伝送制御信号として送られてくるシリーズ記述子のフォーマットの一例を示した図である。
【図３】図３は、シリーズ記述子の編成パターンの具体的な内容を示した一覧である。
【図４】図４は、録画番組管理部が管理する録画番組情報の一例を示した図である。
【図５】図５は、本実施形態に係る受信機に対してユーザが、録画リストを表示するように要求した場合の、録画リストを表示器の表示画面に表示する処理フローである。
【図６】図６は、本実施形態を適用した録画リストの一例を示した図である。
【図７】図７は、本実施形態を適用した録画リストの他の例を示した図である。
【図８】図８は、本実施形態を適用した録画リストの他の例を示した図である。
【図９】図９は、図６の録画リストに対して記録媒体の残容量を考慮に入れた場合の録画リストの例を示した図である。
【図１０】図１０は、録画番組管理部が管理する録画番組情報の他の例を示した一覧である。
【図１１】図１１は、図１０の録画番組情報、放送年月日が２０１７年２月２日から２０１７年２月９日までに放送された番組の録画番組情報をもとに作成した録画リストの一例である。
【図１２】図１２は、本実施形態を適用した放送予定の番組の番組表の例を示した図である。
【発明を実施するための形態】
【００１０】
以下、実施の形態について図面を参照して説明する。
【００１１】
図１は、本実施形態に係る受信機１００の構成を示す図である。ＢＳデジタル放送／広帯域ＣＳデジタル放送の放送波は、入力端子１０１を介して放送チューナ１１３に入力され、地上デジタルテレビジョン放送の放送波は、入力端子１０２を介して放送チューナ１１３に入力される。
【００１２】
受信機１００は、放送チューナ１１３、デスクランブラ１１４、ＣＡＳ（Ｃｏｎｄｉｔｉｏｎａｌ Ａｃｃｅｓｓ Ｓｙｓｔｅｍ）モジュール１９０、デマルチプレクサ１１５を含む。さらに受信機１００は、データ放送受信処理部１１６、映像デコーダ１１７、音声デコーダ１１８、字幕デコーダ１１９、データ放送エンジン１２１、合成器１２２、表示制御部１２３、グラフィカルユーザインターフェース（ＧＵＩ）１２４などを含む。
【００１３】
放送チューナ１１３は、放送波で送られてきたストリーム（放送信号）を復調する。復調されたストリーム（放送信号）は、デスクランブラ１１４に入力される。デスクランブラ１１４は、入力されたストリームをＣＡＳモジュール１９０からの鍵を用いてデスクランブルする。デスクランブラ１１４によりデスクランブルされたストリームは、デマルチプレクサ１１５に入力される。
【００１４】
デマルチプレクサ１１５は、多重化されているストリームを映像ストリーム、音声ストリーム、データ放送ストリーム、字幕ストリーム、付属データに分離し、映像ストリームを映像デコーダ１１７に、音声ストリームを音声デコーダ１１８に、データ放送ストリームをデータ放送受信処理部１１６に、字幕ストリームを字幕デコーダ１１９に、付属データを統合制御部１５０にそれぞれ入力する。
【００１５】
映像ストリームは映像デコーダ１１７でデコードされ、音声ストリームは音声デコーダ１１８でデコードされ、字幕ストリームは字幕デコーダ１１９でデコードされる。
【００１６】
また付属データに含まれるアプリケーション制御情報、サービスデータ、番組情報等の伝送制御信号を含む制御データは、統合制御部１５０の解析部（図示せず）で解析される。
【００１７】
データ放送受信処理部１１６は、デマルチプレクサ１１５から送られてきたデータ放送ストリームから、データ放送されたデータを取り出し、この取り出したデータをデータ放送エンジン１２１に入力する。データ放送エンジン１２１は、送られてきたデータを解析し、解析した表示データを、合成器１２２を介して表示制御部１２３に出力する。表示制御部１２３は、送られてきた表示データを端子１０５に接続された表示器１１に表示する。なお、表示器１１は、受信機１００と一体となっていても、ＵＳＢ等のＩ／Ｆで接続された別体となっていてもよい。
【００１８】
デコードされた映像信号および字幕信号は、合成器１２２で合成され表示制御部１２３を介して表示器１１に出力される。表示制御部１２３は、ガンマ特性の設定、表示画面サイズの設定、表示信号レベルの設定などを行う。
【００１９】
デコードされた音声データは、端子１０６に接続されたスピーカ１２に出力される。
【００２０】
統合制御部１５０は、受信機１００の全体的なブロックを統括して制御する。統合制御部１５０は、デマルチプレクサ１１５で分離された、アプリケーション制御情報、サービスデータ、制御データの解析を行い、解析結果に応じて、受信機１００を制御する。
【００２１】
制御データに含まれる伝送制御信号の中には、多重化されている映像信号の番組のチャンネル識別情報や番組識別情報等が含まれ、さらにこの多重化された映像信号の番組に対してアプリケーション機能を同時に提供するサービスが付加されていることを示す指定情報が含まれている場合もある。
【００２２】
映像デコーダ１１７のコーデック種別は、放送チューナ１１３で受信する放送波種別、すなわち地上デジタルテレビジョン放送、ＢＳデジタル放送、広帯域ＣＳデジタル放送等、放送波種別に応じたコーデック種別として例えばＭＰＥＧ−２でもよい。またコーデック種別は、これに限るものではない。
【００２３】
受信機１００は、通信制御部１８０を含む。通信制御部１８０は、リモートコントローラ（リモコン）３１３とのＩ／ＦであるリモコンＩ／Ｆと、通信ネットワーク３１２とのＩ／ＦであるネットワークＩ／Ｆとを持つ。さらに携帯端末３１４と通信を可能とするために、端末連携制御Ｉ／Ｆも備える。
【００２４】
統合制御部１５０は、デマルチプレクサ１１５で分離された、制御データに含まれる伝送制御信号の中から番組情報等を取り出し、これから放送される番組の一覧である番組表を作成する番組表作成部１５３を含む。また統合制御部１５０は、記録再生制御部１５１を備える。この記録再生制御部１５１は、放送チューナ１１３で受信した番組を記録媒体２１０に録画することができる。また記録再生制御部１５１は、ユーザの操作に応じて、録画した番組を記録媒体２１０から読み取り再生することができる。
【００２５】
録画のタイプは、録画モードの選択により各種選択が可能であってもよい。選択可能な録画モードとしては、例えば、放送チューナ１１３で受信可能な全チャンネルの全番組を自動録画する全自動録画モードある。この場合、限定受信の対象となる有料番組を録画することに対しては、視聴契約がなされていることが必要となる。或いは、指定したチャンネルで放送される全番組だけを自動録画する一部自動録画モードがあってもよい。さらには、一部自動録画にユーザが行った録画予約に基づく予約録画が組み合わさった録画モードがあってもよい。
【００２６】
記録再生制御部１５１により記録媒体２１０に記録された番組は、録画番組管理部１５２ａにより管理される。録画番組管理部１５２ａは、記録媒体２１０に記録された番組のうちシリーズ番組あるいはシーズン番組を判定するシリーズ番組管理部１５２ｂ、また記録媒体２１０に録画された番組のうち未視聴の番組を管理する未視聴番組情報部１５２ｃと連携して、記録媒体２１０に記録された番組の管理を行う。録画番組管理部１５２ａは、記録媒体２１０に記録されて番組の管理を行うために、記録再生制御部１５１により記録媒体２１０に番組が記録される過程で、録画番組情報を生成する。録画番組情報については、図４を用いて説明する。
【００２７】
また録画番組管理部１５２ａは、生成した録画番組情報を用いて表示器１１の表示画面に録画リストを表示する際に、録画リストとして表示されている番組Ａに対して、それ以前に録画された番組Ａと同一シリーズの番組または同一シーズンの番組で、表示画面に表示されていない番組Ｂが未視聴である場合に、番組Ｂが未視聴であることを示す未視聴通知を、表示画面に表示されている録画リスト上に表示することもできる。未視聴通知の表示位置は、番組Ａに対する未視聴通知であることが分かる位置であれば、表示画面上のいずれの位置でも構わない。また未視聴通知は、画像、アイコン、文字、のいずれでもよい。またこれらを組み合わせたものでもよい。あるいは未視聴通知を行う代わりに、該当する番組の表示エリアの枠に色を付けたり、あるいは枠の形を変えたりして、未視聴番組が存在していることを表示可能としてもよい。
【００２８】
なお録画番組管理部１５２ａ、シリーズ番組管理部１５２ｂ、未視聴番組情報部１５２ｃは、図１の例では受信機１００の中に存在しているが、録画番組管理部１５２ａ、シリーズ番組管理部１５２ｂ、未視聴番組情報部１５２ｃの全体あるいはそれらの一部が、番組録画装置（図示せず）の中に存在していてもよくあるいはネットワーク上のサーバに存在していてもよい。
【００２９】
シリーズ番組管理部１５２ｂは、記録媒体２１０に記録された複数の番組が互いにシリーズ番組あるいはシーズン番組であるかの判定を行うのに、例えば伝送制御信号として送られてくるシリーズ記述子の情報を用いてもよい。
【００３０】
図２は、伝送制御信号として送られてくるシリーズ記述子のフォーマットの例を示した図である。
【００３１】
series_id（シリーズ識別子）２０１は、１６ビットのフィールドでシリーズをユニークに識別するための識別子である。
【００３２】
repeat_label(再放送ラベル)２０２は、4ビットのフィールドで、シリーズの放送期間とシリーズの再放送の放送期間が重なる場合に、各々を区別するために用いる。オリジナルのシリーズの放送には「0x0」が与えられる。
【００３３】
program_pattern(編成パターン)２０３は、３ビットのフィールドで図３に示す内容に従い、シリーズ番組の編成のパターンを表す。
【００３４】
図３は、シリーズ記述子のprogram_pattern(編成パターン)２０３の具体的な内容を示した一覧である。例えば編成パターン３０１が０ｘ１の場合、記述３０２は「帯番組（毎日、平日のみ毎日、土・日のみなど）、週に複数回の編成」を示している。
【００３５】
episode_number（話数）２０４は、１２ビットのフィールドで、series_id（シリーズ識別子）２０１で定義されたシリーズ内の話数を示す。録画番組管理部１５２ａは、受信した番組を記録媒体２１０に記録する際に、同時に送られて来た伝送制御信号に含まれるシリーズ識別子の情報も保存して管理する。
【００３６】
シリーズ番組管理部１５２ａは、同一シリーズの番組あるいは同一シーズンの番組であることを判別するのに、例えばseries_id（シリーズ識別子）２０１を用いて、同一の値のseries_id（シリーズ識別子）をもつ番組同士は、同一のシリーズの番組あるいは同一シーズンの番組である、と判断してもよい。
【００３７】
記録媒体２１０に記録された複数の番組が、互いに同一シリーズの番組あるいは同一シーズンの番組であることを判定するための情報は、シリーズ記述子の情報以外にも、複数の番組が互いに関連する番組であるとシリーズ番組管理部１５２ａが判断できる情報であればよい。例えば、連続ドラマのような同じチャンネルの同じ時間帯に放送される同じ番組タイトルの番組を同一シリーズあるいは同一シーズンの番組と判断してもよい。同じ時間帯に放送される場合、毎日放送されてもよく、また隔日で放送されてもよく、また１週間ごとや数週間ごとに放送されてもよく、放送される間隔は任意であってもよい。また不定期のドキュメンタリー番組やバライティ―番組でも、同じチャンネルで同じ番組タイトルの番組を同一シリーズの番組あるいは同一シーズンの番組と判断してもよい。あるいはチャンネルと放送時間だけで同一シリーズの番組あるいは同一シーズンの番組と判断してもよい。あるいは番組タイトルだけで同一シリーズの番組あるいは同一シーズンの番組と判断してもよい。あるいは連続ドラマ番組と、その連続ドラマの内容を映画化した映画番組のように、ジャンルが異なっていても、番組名や映画タイトルの一部が関連しているものを同一シリーズの番組あるいは同一シーズンの番組と判断してもよい。
【００３８】
図４は、録画番組管理部１５２ａが管理する録画番組情報４００の一例を示した図である。図４の録画番組情報４００は、横軸が録画番組の情報の種類を表しており、それらの情報を番組単位に、番組が放送された順に縦に並べたものである。
【００３９】
番号４０１は、録画番組管理部１５２ａが管理する情報を番組単位に縦に並べた場合の順番を示す番号を設定するエリアである。図４の例では、上から順に１から番号が振られている。
【００４０】
番組名４０２は、記録媒体２１０に保存されている番組の番組名を設定するエリアである。図４の例では、Ａ１、Ａ２、Ａ３等が番組名である。
【００４１】
チャンネル４０３は、番組名４０２で示された番組名の番組が放送されたチャンネルを設定するエリアである。
【００４２】
放送年月日４０４および放送時間４０５は、番組名４０２で示された番組名の番組が放送された年月日および放送時間を設定するエリアである。図４の例では、番組名Ａ１の番組が放送された年月日は２０１７年２月１５日であり、放送時間は１５：００から１６：３０まであることを示しており、また番組名Ａ２の番組が放送された年月日は２０１７年２月１４日であり、放送時間は１５：００から１６：３０であることを示している。
【００４３】
未視聴フラグ４０６は、番組名４０２で示された番組名の番組が未視聴であることを示すフラグを設定するエリアである。該当する番組が未視聴であるとフラグはＯＮとなり、該当する番組が視聴されるとフラグはＯＦＦとなる。図４の例では番組名Ａ１の番組は、ユーザにより既に視聴されているので、フラグはＯＦＦに設定されており、番組名Ａ２の番組は、ユーザによりまだ視聴されていないので、フラグはＯＮに設定されている。
【００４４】
視聴年月日４０７は、番組名４０２で示された番組名の番組をユーザが視聴した最新の年月日を設定するエリアである。ユーザが該当の番組を複数回視聴した場合は、最後に視聴したときの年月日が設定される。
【００４５】
シリーズ４０８は、番組名４０２で示された番組名の番組と同一シリーズあるいは同一シーズンである番組の番号を設定するエリアである。図４の例では、番号が１の番組は、番号が７の番組および番号が１３の番組と同一シリーズの番組あるいは同一シーズンの番組であることを示している。また番号が７の番組は、番号が１の番組および番号が１３の番組と同一シリーズの番組あるいは同一シーズンの番組であることを示している。また番号が１３の番組は、番号が１の番組および番号が７の番組と同一シリーズの番組あるいは同一シーズンの番組であることを示している。なお同一シリーズあるいは同一シーズンと判断する番組が存在しない場合は、シリーズ４０８にはＮＵＬＬが設定される。
【００４６】
消去予告４０９は、記録媒体２１０からまもなく消去される番組であることを示すフラグを設定するエリアである。ＯＮに設定されている場合は、録画番組管理部１５２ａによりまもなく消去されることを示しており、ＯＦＦに設定されている場合は、録画番組管理部１５２ａにより消去される予定がないことを示している。このフラグは、例えば放送年月日４０４に記載されている年月日が、現在から一定時間以上経過している場合にＯＮに設定されてもよい。あるいは、記録媒体２１０の空き容量がある値以下になった場合に、放送年月日の古い番組に対してＯＮに設定してもよい。
【００４７】
録画番組管理部１５２ａは、記録再生制御部１５１により記録媒体２１０に番組が記録される過程で、伝送制御信号で送られてくる番組情報等を用いて録画番組情報４００の番組名４０２、チャンネル４０３、放送年月日４０４、放送時間４０５の各エリアの値を設定してもよい。またシリーズ番組管理部１５２ｂは、記録媒体２１０に記録されている複数の番組が互いに同一シリーズあるいは同一シーズンであるかどうかを判定し、その判定結果を用いて録画番組管理部１５２ａは、シリーズ４０８のエリアに同一シリーズあるいは同一シーズンと判定した番組の番号を設定してもよい。
【００４８】
なお、図４の録画番組情報４００の例は、記録媒体２１０に記録されている複数の番組が互いに同一シリーズあるいは同一シーズンであるかどうかを判定し、その結果を録画番組情報４００の中の情報の１つとして持っている例であるが、録画番組情報４００が、記録媒体２１０に記録されている複数の番組が互いに同一シリーズあるいは同一シーズンであるかどうかの判定結果を、情報の１つとして持たなくてもよい。この場合、録画番組情報４００を用いて表示器１１の表示画面に録画リストを表示するときに、録画リストとして表示する番組ごとに都度シリーズ番組管理部１５２ｂが、記録媒体２１０に記録されている番組と互いに同一シリーズあるいは同一シーズンであるかどうかを判定すればよい。
【００４９】
以降の説明では、録画番組情報４００が、複数の番組が互いに同一シリーズあるいは同一シーズンであるかどうかの判定結果を情報の１つとして持つものとして説明する。
【００５０】
また録画番組情報４００は、例えば記録媒体２１０に保存されている、およびまたは録画番組管理部１５２ａの一部に保存されていてもよい。以降の説明では、録画番組情報４００は、記録媒体２１０に保存されているものとして説明する。
【００５１】
次にユーザが、受信機１００に対してリモートコントローラ３１３を操作して、録画リストを表示するように要求した場合の、表示器１１の表示画面に表示する録画リストの表示内容について説明する。
【００５２】
図５は、本実施形態に係る受信機１００に対してユーザが、録画リストを表示するように要求した場合の、録画リストを表示器１１の表示画面に表示する処理フローである。
【００５３】
ユーザが、受信機１００に対して録画リストを表示するように、例えばリモートコントローラ３１３を操作したとする。ユーザによるリモートコントローラ３１３の操作により、リモコンＩ／Ｆを持つ通信制御部１８０を経由して録画リストの表示の指示を受けた録画番組管理部１５２ａは、録画リストの表示の処理を開始する（Ｓ５００）。
【００５４】
録画番組管理部１５２ａは、表示器１１の表示画面に録画リストを表示するために必要な録画番組情報（以降、録画番組情報４００−１とする）を、記録媒体２１０に保存されている録画番組情報４００から読み出す（Ｓ５０１）。読み出された録画番組情報４００−１は、一般的に複数個の番組の録画番組情報である。録画番組管理部１５２ａは、録画番組情報４００−１の中で処理の対象となる番組の場所を示す処理ポインタを、放送年月日、放送時間が最新の番組に設定する（Ｓ５０２）。
【００５５】
図４の録画番組情報４００を例にすると録画番組管理部１５２ａは、Ｓ５０１において表示器１１の表示画面に録画リストを表示するために必要な録画番組情報４００−１として番号が１から６の番組の録画番組情報を読み出したとする。この例は、先に述べたように、表示器１１の表示画面に表示する録画リストが１週間単位で表示される例である。この場合、Ｓ５０２において処理ポインタは、放送年月日、放送時間が最新の番組である番号１の番組に設定される（Ｓ５０２）。
【００５６】
次に録画番組管理部１５２ａは、読み出された録画番組情報４００−１の中から、処理ポインタが設定されている番組の録画リストの表示を行う（Ｓ５０３）。図４の録画番組情報４００を例にすると処理ポインタは、番号１の番組に設定されているので、録画番組管理部１５２ａは、番号１の番組の録画リストを表示器１１の表示画面に表示する（Ｓ５０３）。
【００５７】
次に、表示した録画リストに未視聴通知を追加表示する処理を行う。
【００５８】
シリーズ番組管理部１５２ｂは、処理ポインタが設定されており、Ｓ５０３で表示器１１の表示画面に録画リスト表示した番組のシリーズを読み出す（Ｓ５０４）。図４の録画番組情報４００を例にすると処理ポインタは、番号１の番組に設定されているので、シリーズ番組管理部１５２ｂは、番号１の番組のシリーズを読み出す（Ｓ５０４）。
【００５９】
処理ポインタが設定されている番組のシリーズを読み出したシリーズ番組管理部１５２ｂは、シリーズに番組が設定されているか否かを判別する（Ｓ５０５）。
【００６０】
判別の結果、シリーズに番号が設定されていることが判明した場合（Ｓ５０５のＹｅｓ）、録画番組管理部１５２ａは、Ｓ５０４で読み出したシリーズに設定されている番組の録画番組情報（以降、録画番組情報４００−２とする）を記録媒体２１０から読み出す（Ｓ５０６）。図４の録画番組情報４００を例にすると、処理ポインタが設定されている番号１の番組のシリーズ４０８には、番号７と番号１３が設定されている。したがって録画番組管理部１５２ａは、記録媒体２１０に保存されている録画番組情報４００から番号７の番組と番号１３の番組の録画番組情報４００−２を記録媒体２１０から読み出す（Ｓ５０６）。
【００６１】
判別の結果、シリーズに番号が設定されていないことが判明した場合（Ｓ５０５のＮｏ）、録画番組管理部１５２ａは該当する番組の録画リストに未視聴通知の追加表示を行わない。なお先に説明したようにシリーズに番号が設定されていないとは、シリーズにＮＵＬＬが設定されていることである。
【００６２】
次に未視聴番組情報部１５２ｃは、Ｓ５０６で読み出したシリーズの番組あるいはシーズンの番組の録画番組情報４００−２の中の未視聴のフラグの値を読み出す（Ｓ５０７）。図４の録画番組情報４００を例にすると、未視聴番組情報部１５２ｃは、Ｓ５０６で読み出した番号７の番組と番号１３の番組の未視聴４０６のフラグの値を読み出す（Ｓ５０７）。
【００６３】
未視聴を読み出した未視聴番組情報部１５２ｃは、フラグの値を見て該当番組が未視聴であるか否かを判別する（Ｓ５０８）。
【００６４】
判別の結果、Ｓ５０６で読み出した録画番組情報４００−２のシリーズの番組あるいはシーズンの番組が未視聴番組である（Ｓ５０８のＹｅｓ）ことが判別した場合、録画番組管理部１５２ａは、Ｓ５０３で表示した録画リストに、同一のシリーズあるいはシーズンの番組が未視聴であることを示す未視聴通知をあわせて表示する（Ｓ５０９）。
【００６５】
判別の結果、Ｓ５０６で読み出した録画番組情報４００−２のシリーズの番組あるいはシーズンの番組が視聴済みの番組である（Ｓ５０８のＮｏ）ことが判別した場合、録画番組管理部１５２ａは、Ｓ５０３で表示した録画リストに未視聴通知の追加表示を行わない。
【００６６】
以降Ｓ５０６で読み出したシリーズの番組あるいはシーズンの番組すべてに対してＳ５０８からＳ５１０の処理を行う。図４の録画番組情報４００を例にすると、Ｓ５０６で読み出したシリーズの番組あるいはシーズンの番組である番号７の番組と番号１３の番組に対して、番号の小さい番組から順にＳ５０８からＳ５１０の処理を行う。番号７の番組の未視聴４０６のフラグの値はＯＮである（Ｓ５０８のＹｅｓ）ので、録画番組管理部１５２ａは、番号１の番組の録画リストに番号７の番組が未視聴であることを示す未視聴通知をあわせて表示する（Ｓ５０９）。また、番号１３の番組の未視聴４０６のフラグの値はＯＦＦであるの（Ｓ５０８のＮｏ）で、録画番組管理部１５２ａは、番号１の番組の録画リストに番号１３の番組が未視聴であることを示す未視聴通知は表示しない。
【００６７】
以上Ｓ５０３からＳ５１０までの処理を、Ｓ５０１で読み出した表示器１１の表示画面に表示する録画リストの番組すべてに対して、処理ポインタを遷移させながら（Ｓ５１２）繰り返し処理を行う（Ｓ５１１のＹｅｓ）。
【００６８】
例えば処理ポインタが、番号２の番組に設定されていたとする。番号２の番組のシリーズにはＮＵＬＬが設定されているので、Ｓ５０５の処理でＮｏが成立し、番号２の番組の録画リストには未視聴通知の追加表示は行われない。
【００６９】
Ｓ５０１で読み出した表示器１１の表示画面に表示する録画リストの番組すべてに対してＳ５０３からＳ５１０の処理が終了すると（Ｓ５１１のＮｏ）、録画リストの表示の処理を終了する（Ｓ５１３）。
【００７０】
図６は、本実施形態を適用した、表示器１１の表示画面に表示している録画リストの一例を示した図である。横軸が日付、縦軸が放送時間である。図６に示している録画リストの例は、図４の録画番組情報４００のうち、放送年月日が２０１７年２月９日から２０１７年２月１６日までに放送された番組の録画番組情報４００−１をもとに作成した録画リストである。例えば６０１で示している番組名Ａ１は、図４の番号１の番組の番組名Ａ１である。
【００７１】
ここで６０１に示された番組名Ａ１は、図５に示した処理フローの結果、録画リストとして表示されている番組より過去に、同一のシリーズあるいはシーズンの未視聴の番組が存在していることを示す例である。６０１は、番組名Ａ１の番組を録画リストとして表示しているエリアあるいはその近傍に、未視聴番組が番組名Ａ７の番組であることを示す未視聴通知をあわせて表示している。またユーザは、例えば番組名Ａ７の未視聴通知の表示にカーソルをあわせて選択することで、番組名Ａ７の番組の詳細情報を参照したり再生したりすることができる。
【００７２】
これにより、録画リストにおいて同一のシリーズまたは同一のシーズンの過去の未視聴番組があるか否かを簡単に確認することができ、また未視聴の番組がある場合には、その未視聴の番組を簡単に再生することができる。
【００７３】
図７は、本実施形態を適用した、録画リストの他の例を示した図である。横軸が放送チューナ１１３で受信可能なチャンネルの種類、縦軸が放送時間である。図７に示している録画リストの例は、図４の録画番組情報４００のうち、放送年月日が２０１７年２月９日から２０１７年２月１６日までに放送された番組の録画番組情報４００−１をもとに作成した録画リストである。例えば７０１で示している番組名Ａ１は、図４の番号１の番組の番組名Ａ１である。
【００７４】
ここで７０１に示された番組名Ａ１は、図５の示した処理フローの結果、録画リストとして表示されている番組より過去に、同一のシリーズあるいはシーズンの未視聴の番組が存在していることを示す例である。７０１は、番組名Ａ１の番組を録画リストとして表示しているエリアあるいはその近傍に、未視聴番組が番組名Ａ７の番組であることを示す未視聴通知をあわせて表示している。
【００７５】
図８は、本実施形態を適用した、録画リストの他の例を示した図である。
【００７６】
ここで８０１に示された番組名Ａ１は、図５の示した処理フローの結果、録画リストとして表示されている番組より過去に、同一のシリーズあるいはシーズンの複数の未視聴の番組が存在していることを示す例である。８０１は、番組名Ａ１の録画リストとして表示しているエリアあるいはその近傍に、未視聴番組が番組名Ａ７と番組名Ａ９の番組であることを示す２つの未視聴通知をあわせて表示している。
【００７７】
図８の例は、番組名Ａ１を録画リストとして表示しているエリアあるいはその近傍に、２つの未視聴通知をあわせて表示している例である。この図の例のように、未視聴の番組の数だけ未視聴通知の画像を表示してもよいし、未視聴通知の画像は１つだけ表示して、その中に未視聴の番組の数をあわせて表示してもよい。またユーザは、例えば番組名Ａ７の未視聴通知の表示にカーソルをあわせて選択することで、番組名Ａ７の番組の詳細情報を参照したり再生したりすることができる。同様にユーザは、例えば番組名Ａ９の未視聴通知の表示にカーソルをあわせて選択することで、番組名Ａ９の番組の詳細情報を参照したり再生したりすることができる。
【００７８】
未視聴通知の内容は、その他の条件に応じてその表示の内容を変えてもよい。未視聴通知の内容は、例えば記録媒体２１０の残容量に応じて変えてもよい。
【００７９】
図９は、図６の録画リストに対して記録媒体２１０の残容量を考慮に入れた場合の録画リストの例を示した図である。図４の録画番組情報４００に示すように、番組名Ａ７の消去予告はＯＮに設定されている。つまり記録媒体２１０の空き容量が少ないため、番組名Ａ７の番組は、自動的に消去される時期が近いことを意味している。このため９０１に示すように、未視聴通知の大きさを通常より大きくすることで、ユーザに未視聴である番組名Ａ７の番組の視聴を促すように表示してもよい。
【００８０】
未視聴通知は、表示されている録画リストの番組に対して、同じシリーズあるいは同じシーズンの未来の番組が未視聴の場合に表示してもよい。
【００８１】
図１０は、録画番組管理部１５２ａが管理する録画番組情報４００の他の例を示した一覧である。図１０の録画番組情報は、図４の録画番組情報に対して、番組名Ａ１３の番組の未視聴１００６をＯＮ、視聴年月日をＮＵＬＬに変えた例である。
【００８２】
図１１は、図１０の録画番組情報１０００のうち、放送年月日が２０１７年２月２日から２０１７年２月９日までに放送された番組の録画番組情報４００−１をもとに作成した録画リストの一例である。例えば１１０１で示している番組名Ａ７は、図１０の番号７の番組である。
【００８３】
ここで１１０１に示された番組名Ａ７は、図５の示した処理フローの結果、録画リストとして表示器１１の表示画面に表示されている番組名Ａ７の番組を基準にして、未来および過去の両方に同一シリーズあるいは同一シーズンの未視聴の番組である例である。番組名がＡ１は、番組名Ａ７の放送年月日、放送時間を基準に未来にある同一シリーズあるいは同一シーズンの未視聴の番組であり、番組名Ａ１３は、番組名Ａ７の放送年月日、放送時間を基準に過去にある同一シリーズあるいは同一シーズンの未視聴の番組である。
【００８４】
図１１の例は、番組名Ａ７を録画リストとして表示しているエリアあるいはその近傍に、番組名Ａ７の放送年月日放送時間を基準として、未来の未視聴番組であるＡ１の未視聴通知と過去の未視聴番組であるＡ１３の未視聴通知とをあわせて表示している例である。この例では、番組名Ａ７の録画リストを表示している位置の上に未来の未視聴番組である番組名Ａ１の番組の未視聴通知の表示を行い、番組名Ａ７の録画リストを表示している位置の下に過去の未視聴番組である番組名Ａ１３の番組の未視聴通知の表示を行っている。
【００８５】
図１１の例では、未来の未視聴番組である番組名Ａ１の未視聴通知を、上方向に頂点を持つ三角形領域内に番組名が記載された第１の画像で表示し、過去の未視聴番組である番組名Ａ１３の未視聴通知を、下方向に頂点を持つ三角形領域内に番組名が記載された第２の画像で表示している。この例に限らず、未来の未視聴番組の未視聴通知と過去の未視聴番組の未視聴通知は、色や形や大きさ、また文字で表す場合にはフォントのサイズ等変えても良い。またユーザは、例えば番組名Ａ７の未視聴通知の表示にカーソルをあわせて選択することで、番組名Ａ７の番組の詳細情報を参照したり再生したりすることができる。
【００８６】
これにより、録画リストにおいて同一のシリーズまたは同一のシーズンの過去または未来の未視聴番組があるか否かを簡単に確認することができ、また未視聴の番組がある場合には、その未視聴の番組を簡単に再生することができる。
【００８７】
図１１の例は、未来の未視聴番組の未視聴通知と過去の未視聴番組の未視聴通知の両方を表示した例であるが、どちらか片方だけ表示してもよい。例えば過去の未視聴番組の未視聴通知だけを表示してもよい。過去の未視聴番組の未視聴通知だけを表示する場合は、例えば図５のＳ５０８の処理内容を、放送時間が過去の番組において未視聴フラグがＯＮ、と変更してもよい。またユーザの設定により未視聴通知の表示は、過去の未視聴番組の未視聴通知と未来の未視聴番組の未視聴通知の両方の表示を行う、あるいはいずれか一方の表示を行う、を切り換え可能としてもよい。
【００８８】
さらに未視聴通知は、ＥＰＧ（Ｅｌｅｃｔｒｏｎｉｃ  ＰｒｏｇｒａｍｍｉｎｇＧｕｉｄｅ）のように、番組表作成部１５３により作成される放送予定の番組の番組表と連携して、番組表上の各番組と関連づけて表示してもよい。
【００８９】
図１２は、本実施形態を適用した放送予定の番組の番組表の例を示した図である。横軸が放送チューナ１１３で受信可能なチャンネルの種類、縦軸が放送時間である。この番組表を表示器１１の表示画面に表示する際に、録画番組管理部１５２ａは録画番組情報４００の情報を読み出し、読み出した録画番組情報４００と放送予定の番組の番組表の情報を比較することで、放送予定の番組と同一シリーズあるいは同一シーズンの録画番組が未視聴である場合に、番組表における該当する番組の表示エリアあるいはその近傍に、未視聴通知を合わせて表示してもよい。図１２の例は、１２０１に示す番組名Ｂ７の番組において、未視聴通知として録画された番組の番組名Ａ１と番組名Ａ７が表示されている例である。
【００９０】
上記のように本実施形態は、番組表作成部１５３により作成されるＥＰＧ等の放送予定の番組の番組表に対しても、録画番組の未視聴通知を表示することができる。またユーザの設定により未視聴通知の表示は、番組表と録画リストの両方に対して表示を行う、あるいはいずれか一方の表示を行う、を切り換え可能としてもよい。
【００９１】
シリーズ番組管理部１５２ｂは、同一シリーズ番組または同一シーズンの番組として判断しないように、ユーザ設定可能なようにしてもよい。例えばニュース番組や天気番組、というように番組のジャンルをユーザが指定することで、そのジャンルに該当する番組は、同一シリーズ番組または同一シーズンの番組として判断しないようにすることも可能である。
【００９２】
また、先に説明したように録画番組管理部１５２ａ、シリーズ番組管理部１５２ｂ、未視聴番組情報部１５２ｃの全体あるいはそれらの一部は、番組録画装置の中あるいはネットワーク上のサーバに存在していてもよい。録画番組管理部１５２ａ、シリーズ番組管理部１５２ｂ、未視聴番組情報部１５２ｃの全体あるいはそれらの一部が、番組録画装置の中あるいはネットワーク上のサーバに存在している場合、受信機はこれら番組録画装置あるいはネットワーク上のサーバにアクセスすることで、録画リストに未視聴通知の表示を行ってもよい。
【００９３】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００９４】
また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００９５】
１１・・・表示器、１００・・・受信機、１１３・・・放送チューナ、１５０・・・統合制御部、１５２ａ・・・録画番組情報部、１５２ｂ・・・シリーズ番組管理部、１５２ｃ・・・未視聴番組情報部、１５３・・・番組表作成部。
【図１】
2019080136.tif 000003
【図２】
2019080136.tif 000004
【図３】
2019080136.tif 000005
【図４】
2019080136.tif 000006
【図５】
2019080136.tif 000007
【図６】
2019080136.tif 000008
【図７】
2019080136.tif 000009
【図８】
2019080136.tif 000010
【図９】
2019080136.tif 000011
【図１０】
2019080136.tif 000012
【図１１】
2019080136.tif 000013
【図１２】
2019080136.tif 000014